(57)【要約】【課題】デフケースの径方向サイズを小型化することができるデファレンシャル装置を提供する。【解決手段】デフケース３と、ピニオン５と、出力部材としての一対のサイドギヤ７，９とを備えた差動機構１１と、この差動機構１１の差動を断続する断続部材５９と、この断続部材５９を作動させる電磁石１５を有するアクチュエータ１７とを備えたデファレンシャル装置１において、デフケース３は筒状部４を有し、この筒状部４の軸方向一側端部６には小径の段部８を備え、電磁石１５は、電磁コイル１９と、この電磁コイル１９を包囲して小径の段部８に向けて延設された延設部２７を有するコア２５とを備え、小径の段部８は延設部２７の内周面２９と摺動する摺動面３１を有し、電磁石１５を径方向に支持したされている。【選択図】図１
2010078137.tif 000002
【特許請求の範囲】
【請求項１】
駆動トルクが入力されるデフケースと、このデフケースの回転によって公転すると共に自転可能なピニオンと、このピニオンと噛み合って相対回転可能な一対の出力部材と、前記デフケースと前記ピニオンと前記一対の出力部材とを備えた差動機構と、この差動機構の差動を断続する断続部材と、この断続部材を作動させる電磁石を有するアクチュエータとを備えたデファレンシャル装置であって、
前記デフケースは筒状部を有し、この筒状部の軸方向一側端部には小径の段部を備え、前記電磁石は、電磁コイルと、この電磁コイルを包囲して前記小径の段部に向けて延設された延設部を有するコアとを備え、前記小径の段部は前記延設部の内周面と摺動する摺動面を有し、前記電磁石が径方向に支持されていることを特徴とするデファレンシャル装置。
【請求項２】
請求項１記載のデファレンシャル装置であって、
前記コアの外周面は、前記筒状部の外周面より同一径以下に形成されていることを特徴とするデファレンシャル装置。
【請求項３】
駆動トルクが入力されるデフケースと、このデフケースに支承されて自転可能であると共に前記デフケースの回転によって公転するピニオンと、このピニオンと噛み合って相対回転可能な一対の出力部材と、前記デフケースと前記ピニオンと前記一対の出力部材とを備えた差動機構と、この差動機構の差動を断続する断続部材と、この断続部材を作動させる電磁石を有するアクチュエータとを備えたデファレンシャル装置であって、
前記電磁石は、電磁コイルと、この電磁コイルを包囲して外周面が前記デフケースの外周面と同一径以下に形成されたコアとを有し、このコアの外周面が軸方向の前記デフケース側に延設された延設部を有し、前記デフケースは、前記コアの外周面よりも小径に形成され前記延設部の内周面と摺動する摺動面を有し、前記電磁石は、前記延設部の内周面と前記摺動面とが当接することによって径方向に支持されていることを特徴とするデファレンシャル装置。
【請求項４】
請求項１乃至３のいずれか１項に記載のデファレンシャル装置であって、
前記延設部の前記デフケース側の軸方向端部は、前記デフケースの軸方向面と当接していることを特徴とするデファレンシャル装置。
【請求項５】
請求項１又は２記載のデファレンシャル装置であって、
前記延設部の前記デフケース側の軸方向端部は、前記筒状部と前記小径の段部とを連接する壁面に当接していることを特徴とするデファレンシャル装置。
【請求項６】
請求項１乃至５のいずれか１項に記載のデファレンシャル装置であって、
前記電磁石は、静止側部材によって回り止めされ、前記コアと前記静止側部材との間には、前記電磁石を軸方向に支持する弾性部材が設けられていることを特徴とするデファレンシャル装置。
【請求項７】
請求項１乃至６のいずれか１項に記載のデファレンシャル装置であって、
前記摺動面には、硬化処理が施されていることを特徴とするデファレンシャル装置。
【請求項８】
請求項５記載のデファレンシャル装置であって、
前記摺動面又は前記コアの内周面又は前記壁面には、硬化処理が施されていることを特徴とするデファレンシャル装置。
【請求項９】
請求項１乃至８のいずれか１項に記載のデファレンシャル装置であって、
前記延設部は、前記コアと別体で形成されて前記コアと一体的に設けられ、前記延設部の内周面には、硬化処理が施されていることを特徴とするデファレンシャル装置。
【請求項１０】
請求項１乃至９のいずれか１項に記載のデファレンシャル装置であって、
前記コアの背面には、前記電磁石を前記デフケースに対して軸方向に位置決めする位置決め部材が設けられていることを特徴とするデファレンシャル装置。
【請求項１１】
請求項１０記載のデファレンシャル装置であって、
前記位置決め部材は、非磁性材料からなり前記コアと当接する当接部材と、この当接部材の軸方向の移動を規制する固定部材とを備えていることを特徴とするデファレンシャル装置。
【発明の詳細な説明】
【技術分野】
【０００１】
本発明は、車両に適用されるデファレンシャル装置に関する。
【背景技術】
【０００２】
従来、デフロック機構を備えたデファレンシャル装置としては、デフケースと、一対のサイドギヤとピニオンとデフケースとからなる差動機構と、差動機構の差動を断続するドッグクラッチと、ドッグクラッチを作動させる電磁石を有するアクチュエータとを備えたデファレンシャル装置が知られている（例えば、特許文献１参照）。このデファレンシャル装置では、電磁石の外径とデフケースに形成された環状の内周面を備えた支持部とを当接することにより、電磁石が径方向に支持されている。
【特許文献１】特開２００７−３１５５８３号公報
【発明の開示】
【発明が解決しようとする課題】
【０００３】
しかしながら、電磁石を径方向に支持するために電磁石の外周側にデフケースの一部を配置してしまうと、電磁石が配置されたデフケース周辺部分が径方向に張り出すことになり、デフケースの径方向サイズが大型化していた。
【０００４】
そこで、この発明は、デフケースの径方向サイズを小型化することができるデファレンシャル装置の提供を目的としている。
【課題を解決するための手段】
【０００５】
請求項１記載の発明は、駆動トルクが入力されるデフケースと、このデフケースの回転によって公転すると共に自転可能なピニオンと、このピニオンと噛み合って相対回転可能な一対の出力部材と、前記デフケースと前記ピニオンと前記一対の出力部材とを備えた差動機構と、この差動機構の差動を断続する断続部材と、この断続部材を作動させる電磁石を有するアクチュエータとを備えたデファレンシャル装置であって、前記デフケースは筒状部を有し、この筒状部の軸方向一側端部には小径の段部を備え、前記電磁石は、電磁コイルと、この電磁コイルを包囲して前記小径の段部に向けて延設された延設部を有するコアとを備え、前記小径の段部は前記延設部の内周面と摺動する摺動面を有し、前記電磁石が径方向に支持されていることを特徴とする。
【０００６】
請求項２記載の発明は、請求項１記載のデファレンシャル装置であって、前記コアの外周面は、前記筒状部の外周面より同一径以下に形成されていることを特徴とする。
【０００７】
請求項３記載の発明は、駆動トルクが入力されるデフケースと、このデフケースに支承されて自転可能であると共に前記デフケースの回転によって公転するピニオンと、このピニオンと噛み合って相対回転可能な一対の出力部材と、前記デフケースと前記ピニオンと前記一対の出力部材とを備えた差動機構と、この差動機構の差動を断続する断続部材と、この断続部材を作動させる電磁石を有するアクチュエータとを備えたデファレンシャル装置であって、前記電磁石は、電磁コイルと、この電磁コイルを包囲して外周面が前記デフケースの外周面と同一径以下に形成されたコアとを有し、このコアの外周面が軸方向の前記デフケース側に延設された延設部を有し、前記デフケースは、前記コアの外周面よりも小径に形成され前記延設部の内周面と摺動する摺動面を有し、前記電磁石は、前記延設部の内周面と前記摺動面とが当接することによって径方向に支持されていることを特徴とする。
【０００８】
請求項４記載の発明は、請求項１乃至３のいずれか１項に記載のデファレンシャル装置であって、前記延設部の前記デフケース側の軸方向端部は、前記デフケースの軸方向面と当接していることを特徴とする。
【０００９】
請求項５記載の発明は、請求項１又は２記載のデファレンシャル装置であって、前記延設部の前記デフケース側の軸方向端部は、前記筒状部と前記小径の段部とを連接する壁面に当接していることを特徴とする。
【００１０】
請求項６記載の発明は、請求項１乃至５のいずれか１項に記載のデファレンシャル装置であって、前記電磁石は、静止側部材によって回り止めされ、前記コアと前記静止側部材との間には、前記電磁石を軸方向に支持する弾性部材が設けられていることを特徴とする。
【００１１】
請求項７記載の発明は、請求項１乃至６のいずれか１項に記載のデファレンシャル装置であって、前記摺動面には、硬化処理が施されていることを特徴とする。
【００１２】
請求項８記載の発明は、前記摺動面又は前記コアの内周面又は前記壁面には、硬化処理が施されていることを特徴とする。
【００１３】
請求項９記載の発明は、請求項１乃至８のいずれか１項に記載のデファレンシャル装置であって、前記延設部は、前記コアと別体で形成されて前記コアと一体的に設けられ、前記延設部の内周面には、硬化処理が施されていることを特徴とする。
【００１４】
請求項１０記載の発明は、請求項１乃至９のいずれか１項に記載のデファレンシャル装置であって、前記コアの背面には、前記電磁石を前記デフケースに対して軸方向に位置決めする位置決め部材が設けられていることを特徴とする。
【００１５】
請求項１１記載の発明は、請求項１０記載のデファレンシャル装置であって、前記位置決め部材は、非磁性材料からなり前記コアと当接する当接部材と、この当接部材の軸方向の移動を規制する固定部材とを備えていることを特徴とする。
【発明の効果】
【００１６】
請求項１のデファレンシャル装置は、電磁石はコアに設けられた延設部の内周面とデフケースに形成された小径の段部の摺動面とが当接することによって径方向に支持されているので、電磁石の外周側にデフケースの一部を張り出して配置させることなく、電磁石を径方向に支持させることができる。
【００１７】
従って、デフケースの電磁石が配置された周辺部分が径方向に張り出すことがなく、デフケースの径方向サイズを小型化することができると共に、電磁石の支持を安定させることにより、確実かつ、安定して磁力線を透過させることができる。
【００１８】
請求項２のデファレンシャル装置は、コアの外周面が筒状部の外周面より同一径以下に形成されているので、コアの外周面が筒状部の外周面より径方向に張り出すことがなく、装置全体の径方向サイズを小型化することができる。
【００１９】
請求項３のデファレンシャル装置は、電磁石はコアに設けられた延設部の内周面とデフケースに形成された摺動面とが当接することによって径方向に支持されているので、電磁石の外周側にデフケースの一部を張り出して配置させることなく、電磁石を径方向に支持させることができる。
【００２０】
従って、デフケースの電磁石が配置された周辺部分が径方向に張り出すことがなく、デフケースの径方向サイズを小型化することができる。
【００２１】
請求項４のデファレンシャル装置は、延設部のデフケース側の軸方向端部がデフケースの軸方向面と当接しているので、デフケースに対する電磁石の軸方向の位置決めを容易に行うことができ、組付け性を向上することができる。
【００２２】
請求項５のデファレンシャル装置は、延設部のデフケース側の軸方向端部がデフケースに設けられた壁面に当接しているので、磁力線を安定して透過させることができると共に、デフケースに対する電磁石の軸方向の位置決めを容易に行うことができ、組付け性を向上することができる。
【００２３】
請求項６のデファレンシャル装置は、コアと静止側部材との間には電磁石を軸方向に支持する弾性部材が設けられているので、電磁石の軸方向に掛かる負荷を軽減して電磁石を軸方向に支持することができる。
【００２４】
また、静止側部材から電磁石側への振動の伝播、又は電磁石から静止側部材への振動の伝播を弾性部材によって抑制することができ、磁力線の透過率変動の抑制など振動による装置に対する悪影響を抑制することができる。
【００２５】
請求項７のデファレンシャル装置は、摺動面には壁面に硬化処理が施されているので、延設部の内周面と摺動する摺動面の耐久性を向上することができる。
【００２６】
請求項８のデファレンシャル装置は、摺動面又はコアの内周面又は壁面に硬化処理が施されているので、延設部と摺動する摺動面の耐久性を向上することができる。
【００２７】
請求項９のデファレンシャル装置は、延設部はコアと別体で形成されてコアと一体的に設けられ、延設部の内周面には硬化処理が施されているので、摺動面と摺動する延設部の耐久性を向上することができる。
【００２８】
請求項１０のデファレンシャル装置は、コアの背面には電磁石をデフケースに対して軸方向に位置決めする位置決め部材が設けられているので、位置決め部材によってデフケースに対して相対的な電磁石の軸方向の位置決めができ、装置を車両に組付けるまでの搬送や車両部品への組付けを容易に行うことができる。
【００２９】
請求項１１のデファレンシャル装置は、位置決め部材が非磁性材料からなりコアと当接する当接部材と、この当接部材の軸方向の移動を規制する固定部材とを備えているので、電磁石から位置決め部材を介して外部に磁力線が漏洩することを防止でき、磁力線によって形成される磁路の効率を向上させることができる。
【発明を実施するための最良の形態】
【００３０】
図１〜図５を用いて本発明の実施の形態に係るデファレンシャル装置について説明する。
【００３１】
（第１実施形態）
図１，図２を用いて第１実施形態について説明する。
【００３２】
本実施の形態に係るデファレンシャル装置１は、駆動トルクが入力されるデフケース３と、このデフケース３に支承されて自転可能であると共にデフケース３の回転によって公転するピニオン５と、このピニオン５と噛み合って相対回転可能な一対の出力部材としてのサイドギヤ７，９と、デフケース３とピニオン５と一対のサイドギヤ７，９とを備えた差動機構１１と、この差動機構１１の差動を断続する断続部材５９と、この断続部材５９を作動させる電磁石１５を有するアクチュエータ１７とを備えている。そして、デフケース３は筒状部４を有し、この筒状部の軸方向一側端部６には小径の段部８を備え、電磁石１５は、電磁コイル１９と、この電磁コイル１９の外周、一端側壁及び内周の一部を包囲して外周面２１がデフケース３の外周面２２と同一径以下であって、この外周面２２より小径に形成され近接するデフケース３の外周面２３と面一（略同一径寸法）に形成されたコア２５とを有し、このコア２５は、小径の段部８に向けて延設された延設部２７を有し、小径の段部８は、外周面２３よりも小径に形成され延設部２７の内周面２９と摺動する摺動面３１，３１を有し、電磁石１５は、延設部２７の内周面２９と摺動面３１とが当接することによって径方向に支持されている。
【００３３】
また、電磁石１５は、軸方向外側に対向配置された静止側部材３３によって回り止めされ、電磁石１５と静止側部材３３との間には、電磁石１５を軸方向に支持する弾性部材３５が設けられている。
【００３４】
さらに、延設部２７のデフケース３側の軸方向端部３６は、筒状部４と小径の段部８とを連接する壁面３７に当接している。
【００３５】
また、摺動面３１及び壁面３７におけるデフケース３側の軸方向面には、硬化処理が施されている。なお、硬化処理は、デフケース３側ではなく、延設部２７の内周面２９や軸方向端部３６に施されてもよい。
【００３６】
図１，図２に示すように、デフケース３は、軸方向両側に形成されたボス部３９，４１でベアリング（不図示）を介して静止側部材３３に回転可能に支持されている。また、デフケース３には筒状部４の軸方向他側端部にフランジ部４３が形成され、このフランジ部４３にはリングギヤ（不図示）の内周面が電磁石１５側におけるデフケース３の筒状部４の軸方向一側端部の外周から嵌合して組付けられ、外周面２２によってセンタリング支持されるように固定される。リングギヤは、動力伝達ギヤ（不図示）と噛み合っており、駆動力が伝達されてデフケース３を回転駆動させる。このデフケース３内には、デフケース３と共に差動機構１１を構成するピニオン５や一対のサイドギヤ７，９などが収容され駆動力が伝達される。
【００３７】
本実施例において、差動機構１１は、デフケース３と、ピニオンシャフト４５と、ピニオン５と、一対のサイドギヤ７，９とを備えている。ピニオンシャフト４５は、端部をデフケース３に係合してピン４７によって回り止め及び抜け止めされ、デフケース３と一体に回転駆動される。ピニオン５は、デフケース３の回転により公転して一対のサイドギヤ７，９に駆動力を伝達すると共に、噛み合っている一対のサイドギヤ７，９に差回転が生じると回転駆動されるようにピニオンシャフト４５に自転可能に支持されている。また、ピニオン５とデフケース３との間には球面ワッシャ４９が配置されている。なお、ピニオン５は、ピニオンシャフト４５のような介在部材を介さずに、直接デフケース３の内部に形成した収容部に支持されてもよく、ピニオンや一対の出力部材の形状は、ベベルギヤ式に限るものではなく、種々のギヤ形式をとりうる。
【００３８】
一対のサイドギヤ７，９は、ボス部５１，５３でデフケース３に回転可能に支持され、ピニオン５と噛み合っている。また、サイドギヤ７，９とデフケース３との間にはスラストワッシャ５５，５７が配置されている。また、サイドギヤ９の背面側には、断続部材５９の噛み合い歯６１と噛み合う噛み合い歯６３が形成されている。
【００３９】
断続部材５９は、周方向に複数の凸部６７を有して、この凸部６７がデフケース３の小径の段部８から内周側に連接された径方向側壁１０に周方向に複数形成された開口１２に係合してデフケース３と一体回転可能に支持されている。この断続部材５９は、カム機構６５と、断続部１３とを構成している。
【００４０】
カム機構６５は、断続部材５９の凸部６７の回転方向面と、デフケース３に形成されたカム溝６９の回転方向側面とから構成されている。この凸部６７をデフケース３のカム溝６９に係合し、断続部材５９を回り止めして断続部材５９とデフケース３とを一体回転可能にしている。また、凸部６７とカム溝６９には、回転方向の面に同一の傾斜角を有したカム面が形成され、駆動トルクが作用したときにカムが作動し、断続部１３を強固に締結させるように機能する。
【００４１】
断続部１３は、断続部材５９の噛み合い歯６１とサイドギヤ９の噛み合い歯６３とで構成されている。噛み合い歯６１，６３が噛み合うと、デフケース３とサイドギヤ９とが連結されて差動機構１１がデフロック状態となる。また、断続部材５９とサイドギヤ９との間には、リターンスプリング７１が設けられ、断続部１３の締結解除方向に付勢している。このリターンスプリング７１によって、断続部１３の締結が解除され、差動機構１１のデフロック状態が解除される。従って、断続部１３では、差動機構１１の差動回転が自由に行われる状態と差動回転が不能になる状態、すなわち差動機構１１の断続が行われる。この断続部１３は、アクチュエータ１７によって軸方向に作動される。
【００４２】
アクチュエータ１７は、可動部材７３と、デフケース３の一部と、電磁石１５と、コントローラ（不図示）などを備えている。可動部材７３は、プランジャ７５とリング７７とから構成されている。プランジャ７５は、磁性材料から形成されている。このプランジャ７５の内周には、電磁石１５の磁力線がデフケース３側へ漏れることを防止する非磁性材料のリング７７が一体に固定されている。リング７７は、デフケース３のボス部４１に軸方向移動可能に支持されている。この可動部材７３は、電磁石１５の励磁によりコア２５と小径の段部８と、電磁コイル１９の他端側壁及び内周の一部を包囲するデフケース３の一部の側壁１０と、プランジャ７５とを透過する磁力線によって形成される磁束ループによって、プランジャ７５がコア２５の内周の一部とデフケース３の側壁の一部とに橋渡しされ断続部材５９側に移動操作され、リング７７が断続部材５９を押圧して断続部１３が締結される。
【００４３】
電磁石１５は、電磁コイル１９とコア２５を有している。電磁コイル１９は、樹脂でモールド成形され、コア２５に収容されている。コア２５は、磁性材料から形成され、外周面２１がデフケース３の外周面２３と面一に形成されている。しかしながら、上述したように、図示外のリングギヤを組付けるなど機能的な理由が伴わなければ、コア２５の外周面２１はデフケース３の外周面２３より径方向に突出される構造であっても問題はないが、本発明の主旨から、小径の段部８にコア２５の延設部２７が重なり合うことで径方向の径方向の配置スペースは格段に小型化されることになる。また、コア２５には、コントローラに接続されたリード線７９が接続されており、コントローラによって電磁コイル１９への通電が制御されている。また、コア２５には、回り止め部材８１が設けられ、キャリアなどの静止側部材３３に形成された係合凹部８３に回り止め部材８１を係合することによって電磁石１５を回転方向に回り止めしている。このコア２５の外周面２１側には、延設部２７がコア２５と連続する一部材で形成されている。
【００４４】
延設部２７は、コア２５の外周面２１側が軸方向のデフケース３の小径の段部８側に延設されている。この延設部２７の内周面２９は、デフケース３の外周面２３よりも小径に形成された段部８の摺動面３１と摺動可能に当接している。摺動面３１には、部分窒化や高周波焼入れなどの硬化処理が施されている。また、摺動面３１には、摺動抵抗を低減させるための環状凹部８５が形成されており、この環状凹部８５に封入された潤滑オイルが滞留して摺動面３１の摺動部に適宜供給されることになる。この摺動面３１と延設部２７の内周面２９とが当接することにより、電磁石１５が径方向に支持される。また、延設部２７のデフケース３側の軸方向端部３６には、デフケース３の壁面３７と当接しており、デフケース３に対する電磁石１５の軸方向の位置決めがなされている。なお、この軸方向端部３６と当接する壁面３７や内周面２９と摺動する摺動面３１に、磁力線を透過する必要面積を確保しつつ、周方向に沿って又は周方向に交差する方向に凹凸部などを形成して摺動抵抗を低減させてもよい。また、電磁石１５と静止側部材３３との間には、電磁石１５を軸方向に支持する弾性部材３５が設けられている。
【００４５】
弾性部材３５は、環状に形成され、孔８７とバネ部８９とを備えている。孔８７は、周方向の対向する位置に２箇所形成され、回り止め部材８１と係合することによって弾性部材３５の回転方向の位置決めがなされている。バネ部８９は、周方向の対向する位置に２箇所形成され、軸方向の静止側部材３３側に向けて付勢力を有して切り起こされている。このバネ部８９は、初期位置が静止側部材３３よりも突出しており、配置位置では静止側部材３３の端面と当接してたわみを与えた状態（電磁石１５にばね力が作用した状態）で電磁石１５を軸方向に支持するように、延設部２７の軸方向端部３６をデフケース３の壁面２７に微小な負荷をもって当接させている。
【００４６】
このようなデファレンシャル装置１では、電磁石１５は延設部２７の内周面２９と摺動面３１とが当接することによって径方向に支持されているので、電磁石１５の外周側にデフケース３の一部を配置させることなく、電磁石１５を径方向に支持させることができる。
【００４７】
従って、デフケース３の電磁石１５が配置された周辺部分が径方向に張り出すことを抑制することができ、デフケース３の径方向サイズを小型化することができる。
【００４８】
また、コア２５の外周面２１が筒状部４の外周面２３より同一径以下に形成されているので、コア２５の外周面２１が筒状部４の外周面２３より径方向に張り出すことがなく、装置全体の径方向サイズを小型化することができる。
【００４９】
さらに、コア２５と静止側部材３３との間には電磁石１５を軸方向に支持する弾性部材３５が設けられているので、電磁石１５の軸方向に掛かる負荷を軽減して電磁石１５を軸方向に支持することができる。
【００５０】
また、静止側部材３３から電磁石１５側への振動の伝播、又は電磁石１５から静止側部材３３への振動の伝播を弾性部材３５によって吸収して抑制することができ、磁力線の透過率変動の抑制など振動による装置に対する悪影響を抑制することができる。
【００５１】
さらに、延設部２７のデフケース３側の軸方向端部３６がデフケース３に設けられた壁面３７に当接しているので、磁力線を安定して透過させることができると共に、デフケース３に対する電磁石１５の軸方向の位置決めを容易に行うことができ、組付け性を向上することができる。
【００５２】
また、摺動面３１又はコア２５の内周面２９又は壁面３７に硬化処理が施されているので、延設部２７の内周面２９と摺動する摺動面３１の耐久性を向上することができる。
【００５３】
（第２実施形態）
図３を用いて第２実施形態について説明する。
【００５４】
本実施の形態に係るデファレンシャル装置１０１は、延設部１０３は、コア２５と別体で形成されてコア２５と一体的に設けられ、内周面１０５には、硬化処理が施されている。なお、第１実施形態と同一の構成には、同一の記号を記して説明を省略するが、第１実施形態と同一の構成であるので、得られる効果は同一である。
【００５５】
図３に示すように、延設部１０３は、コア２５と別体で形成され、溶接などによってコア２５に固着され、コア２５と一体的に設けられている。この延設部１０３の内周面１０５には、部分窒化や高周波焼入れなどの硬化処理が施されている。なお、延設部１０３に対して硬化処理が施されているので、デフケース３側の摺動部には硬化処理を施す必要がなく、デフケース３を加工材の状態で使用することができる。
【００５６】
このようなデファレンシャル装置１０１では、延設部１０３はコア２５と別体で形成されてコア２５と一体的に設けられ、内周面１０５には硬化処理が施されているので、摺動面３１と摺動する延設部１０３の耐久性を向上することができる。また、延設部１０３をコア２５と別体で形成することで、消耗の大きい延設部１０３のみを交換するだけでよい。
【００５７】
（第３実施形態）
図４を用いて第３実施形態について説明する。
【００５８】
本実施の形態に係るデファレンシャル装置２０１は、コア２５の背面には、電磁石１５をデフケース２０３に対して軸方向に位置決めする位置決め部材２０５が設けられている。
【００５９】
また、位置決め部材２０５は、非磁性材料からなりコア２５と当接する当接部材２０７と、この当接部材２０７の軸方向の移動を規制する固定部材２０９とを備えている。なお、第１実施形態と同一の構成には、同一の記号を記して説明を省略するが、第１実施形態と同一の構成であるので、得られる効果は同一である。
【００６０】
図４に示すように、デフケース２０３には、デフケース２０３の内部に部材を収容させる開口２１１が設けられている。この開口２１１の軸方向の最大寸法は、ピニオン５の外径よりも小さく形成されている。このため、デフケース２０３の軸方向の肉厚が大きくなり、デフケース２０３の剛性と強度を向上させている。また、開口２１１の周縁部には、切欠部２１３が設けられている。
【００６１】
切欠部２１３は、開口２１１の周縁部を切り欠いて設けられている。この切欠部２１３には、外径側から内径側に向けて傾斜する傾斜面２１５が形成されている。この傾斜面２１５に沿ってピニオン５を傾斜させてデフケース２０３内に挿入させることにより、開口２１１の軸方向の最大寸法よりも大きな外径を有するピニオン５をデフケース２０３の内部に挿入させることができる。なお、切欠部２１３に加えて、切欠部２１７を開口２１１の周縁部に設けてもよい。この切欠部２１７の傾斜面２１９に沿ってピニオン５を傾斜させてデフケース２０３内に挿入させてもよい。このようなデフケース２０３のボス部４１の外周に配置された電磁石１５のコア２５の背面には、電磁石１５をデフケース２０３に対して軸方向に位置決めする位置決め部材２０５が設けられている。
【００６２】
位置決め部材２０５は、当接部材２０７と固定部材２０９とを備えている。当接部材２０７は、非磁性材料からなり、円板状に形成され、電磁石１５のコア２５と当接している。この当接部材２０７は、固定部材２０９によって軸方向の移動が規制されている。固定部材２０９は、スナップリングなどのようにデフケース２０３のボス部４１の外周に固定される。この固定部材２０９は、当接部材２０７を介して電磁石１５の軸方向の移動を規制し、電磁石１５を軸方向に位置決めさせる。
【００６３】
このようなデファレンシャル装置２０１では、コア２５の背面には電磁石１５をデフケース２０３に対して軸方向に位置決めする位置決め部材２０５が設けられているので、位置決め部材２０５によってデフケース２０３に対して相対的な電磁石１５の軸方向の位置決めができ、装置を車両に組付けるまでの搬送や車両部品への組付けを容易に行うことができる。
【００６４】
また、位置決め部材２０５が非磁性材料からなりコア２５と当接する当接部材２０７と、この当接部材２０７の軸方向の移動を規制する固定部材２０９とを備えているので、電磁石１５から位置決め部材２０５を介して外部に磁力線が漏洩することを防止でき、磁力線によって形成される磁路の効率を向上させることができる。
【００６５】
（第４実施形態）
図５を用いて第４実施形態について説明する。
【００６６】
本実施の形態に係るデファレンシャル装置３０１は、当接部材３０３は、固定部材２０９と当接する基部３０５と、この基部３０５から軸方向外側に延設され電磁石１５と当接する延設当接部３０７とを備えている。なお、他の実施形態と同一の構成には、同一の記号を記して説明を省略するが、他の実施形態と同一の構成であるので、得られる効果は同一である。
【００６７】
図５に示すように、当接部材３０３は、基部３０５と延設当接部３０７とを備えている。基部３０５は、固定部材２０９と当接して軸方向の移動が規制され、軸方向に位置決めされている。延設当接部３０７は、基部３０５と連続する一部材で形成され、基部３０５よりも軸方向外側に位置するように設けられている。この延設当接部３０７は、電磁石１５のコア２５と当接している。この延設当接部３０７により、電磁石１５を基部３０５から延設当接部３０７までの軸方向分だけ増大させることができ、電磁石１５の容量を増大させることができる。なお、延設当接部３０７の延設量は、電磁石１５の容量の合わせて設定すればよい。
【００６８】
このようなデファレンシャル装置３０１では、当接部材３０３が固定部材２０９と当接する基部３０５と、この基部３０５から軸方向外側に延設され電磁石１５と当接する延設当接部３０７とを備えているので、延設当接部３０７の軸方向延設長さ分の電磁石１５の容量を増加させることができ、断続特性を向上させることができる。
【００６９】
なお、本発明の実施の形態に係るデファレンシャル装置では、静止側部材としてキャリアを例示しているが、車体のフレームなど電磁石を回り止めできる部材ならばどのような部材を用いてもよい。
【図面の簡単な説明】
【００７０】
【図１】本発明の第１実施形態に係るデファレンシャル装置の断面図である。
【図２】本発明の第１実施形態に係るデファレンシャル装置の側面図である。
【図３】本発明の第２実施形態に係るデファレンシャル装置の断面図である。
【図４】本発明の第３実施形態に係るデファレンシャル装置の断面図である。
【図５】本発明の第４実施形態に係るデファレンシャル装置の断面図である。
【符号の説明】
【００７１】
１，１０１，２０１，３０１…デファレンシャル装置
３，２０３…デフケース
４…筒状部
５…ピニオン
６…軸方向一側端部
７，９…サイドギヤ（出力部材）
８…小径の段部
１１…差動機構
１５…電磁石
１７…アクチュエータ
１９…電磁コイル
２１…外周面（コア）
２３…外周面（デフケース）
２５…コア
２７，１０３…延設部
２９，１０５…内周面
３１…摺動面
３３…静止側部材
３５…弾性部材
３７…壁面
５９…断続部材
２０５…位置決め部材
２０７，３０３…当接部材
２０９…固定部材
【図１】
2010078137.tif 000003
【図２】
2010078137.tif 000004
【図３】
2010078137.tif 000005
【図４】
2010078137.tif 000006
【図５】
2010078137.tif 000007